(57)【要約】    【課題】  有効に液体を磁化する。    【解決手段】  ハウジング２１に支持板２８を固定し、支持板２８にベアリング２９を介して回転可能に軸２３を支持し、磁極板２４、磁石２５、カバー２６およびスペーサ２７に設けられた孔内に軸２３を貫通させ、有底円筒状のカバー２６により２個の磁石２５を覆い、磁極板２４、磁石２５、カバー２６、スペーサ２７の外側に磁性体からなる螺旋線材３０を設け、螺旋線材３０の外側にコイル支持板３１を設け、コイル支持板３１に銅線からなるコイル３２を巻き付ける。【選択図】        図１
2007021424.tif 000002
【特許請求の範囲】
【請求項１】
液体を磁化する液体処理装置において、ハウジング内に複数の磁石を有しかつ外周部に螺旋線材を有する磁気処理装置を回転可能に支持したことを特徴とする液体処理装置。
【請求項２】
上記螺旋線材の外側にコイル支持板を設け、上記コイル支持板にコイルを巻き付けたことを特徴とする請求項１に記載の液体処理装置。
【請求項３】
液体を磁化する液体処理装置において、ハウジング内に複数の磁石を有しかつ外周部に螺旋線材を有する磁気処理装置を設け、上記螺旋線材の外側にコイル支持板を設け、上記コイル支持板にコイルを巻き付け、上記コイル支持板を回転可能に支持し、上記液体の流れによってコイル支持板を回転する回転手段を設けたことを特徴とする液体処理装置。
【発明の詳細な説明】
【技術分野】
【０００１】
本発明は水等の液体を磁化する液体処理装置に関するものである。
【背景技術】
【０００２】
たとえば、建築物等における給水（給湯）用の配管は、長年使用している間に管の内壁が腐食されて赤錆が発生したり、また水中の不純物が沈着したりして管の内径がしだいに小さくなり、水圧が低下するとともに、いわゆる赤水が発生し、最後には水漏れ、断水等が起こるようになる。これらを防止するために従来採用されている工法には、圧縮空気でけい砂等を吹き込んで赤錆等を削り落とした後に、エポキシ樹脂等でライニング処理を行なう工法や、化学的な手段で赤錆等を除去した後に、ライニング処理を行なう工法等がある。
【０００３】
しかしながら、給水（給湯）用の配管は長く、また屈曲部位を有しているのが普通であり、これら屈曲部位を有する長い管内から赤錆等を完全に除去し、かつ均一にライニング処理することは困難であり、赤錆が残留した箇所や不完全にライニング処理された箇所から再び赤錆が発生するという問題があった。また、これら工法による場合はいずれも長期にわたり断水させなければならないという問題や費用がかかる等の問題があった。
【０００４】
そこで、近年長期にわたり断水させることなく工事を行なうことができ、水質についての問題もなく、かつ費用も安価であるということから磁気処理工法が採用されつつある。この磁気処理工法は、給水（給湯）設備に磁石を設け、供給水を磁極間に通して磁気的に処理し、そしてその磁気処理した供給水を配管中に通すことにより管の内壁に形成された赤錆等を除去し、また赤錆の発生や不純物の沈着を防止するものである。
【０００５】
このように、磁気処理した水を配管中に通すことによりなぜ配管内壁の赤錆が除去されるのか、またなぜ赤錆の発生や不純物の沈着が防止されるのかについては学問上の最終的な見解は示されてはいない。しかし、水を磁界中に通すことによって水に含まれている不純物、すなわちイオンの形で存在する電解質や、分子の形で存在する非電解質や微小分散性の固体粒子や、溶解したガス等が磁気的、電気的作用を受け、物理的、化学的な変化を受けるためではないかと考えられている。
【０００６】
また、ボイラーでの燃焼効率を高め、煤塵を減少させる等の効果を奏するために、またヂーゼルエンジン等のエンジンでの燃費を下げるために、重油、ヂーゼル油等の燃料油を磁気処理することも行なわれてきており、燃料油を磁気処理することにより、なぜボイラーでの燃焼効率が高められ、煤塵を減少させることができるのか、またなぜヂーゼルエンジン等のエンジンでの燃費を下げることができるのかについても解明されていないが、燃料油を磁気処理することによって燃料の微細化が促進されるためであると考えられている。
【０００７】
図５は特許文献４に示された従来の液体処理装置の一部を示す概略図、図６は図５に示した液体処理装置の磁化処理装置の一部を示す断面図、図７は図５に示した磁化処理装置の蓋を示す図である。図に示すように、ハウジング１内に磁気処理装置２が設けられ、磁気処理装置２の多数の小孔（図示せず）を有する多孔筒状体３の外側には螺旋構造体４が設けられ、多孔筒状体３の両端に蓋５が設けられ、蓋５の中央の孔には長尺ボルト６の端部が貫通し、長尺ボルト６の蓋５から突出した端部の雄ネジ部にナット７が螺合し、蓋５に孔８が設けられ、長尺ボルト６に孔１０が設けられた磁極板９、磁石１１およびスペーサ１２が取り付けられている。すなわち、磁極板９、磁石１１およびスペーサ１２に設けられた孔内を長尺ボルト６が貫通している。そして、磁極板９の両側に磁石１１が位置しており、磁石１１の磁極板９が接した面とは反対側の面の間にスペーサ１２が位置している。また、磁極板９の両側の磁石１１の磁極板９側の磁極は同一であり、スペーサ１２の両側の磁石１１のスペーサ１２側の磁極は相違する。
【０００８】
この液体処理装置においては、ハウジング１の一方端から他方端にたとえば水を流すと、水は磁気処理装置２によって磁化される。この場合、孔８から多孔筒状体３内に入った水は孔１０、８を通過して多孔筒状体３の外に出る。
【０００９】
【特許文献１】特公平３−２０３２号公報
【特許文献２】特公平３−２０３３号公報
【特許文献３】特開平７−２４１５６６号公報
【特許文献４】特開平９−２２５４５９号公報
【特許文献５】特開平１０−８５７５７号公報
【発明の開示】
【発明が解決しようとする課題】
【００１０】
このような液体処理装置においては、十分に液体を磁化することができるが、さらに有効に液体を磁化することができる液体処理装置が望まれている。
【００１１】
本発明は上述の課題を解決するためになされたもので、さらに有効に液体を磁化することができる液体処理装置を提供することを目的とする。
【課題を解決するための手段】
【００１２】
この目的を達成するため、本発明においては、液体を磁化する液体処理装置において、ハウジング内に複数の磁石を有しかつ外周部に螺旋線材を有する磁気処理装置を回転可能に支持する。
【００１３】
この場合、上記螺旋線材の外側にコイル支持板を設け、上記コイル支持板にコイルを巻き付けてもよい。
【発明の効果】
【００１４】
本発明に係る液体処理装置においては、ハウジングの一方端から他方端に液体を流すと、磁気処理装置が回転するから、液体が磁気処理装置部を移動する距離が長くなるので、磁気処理装置は有効に液体を磁化することができる。
【００１５】
また、螺旋線材の外側にコイル支持板を設け、コイル支持板にコイルを巻き付けたときには、ハウジングの一方端から他方端に液体を流すと、磁気処理装置が回転するから、コイルに電流が流れるので、磁気処理装置はさらに有効に液体を磁化することができる。
【００１６】
また、液体を磁化する液体処理装置において、ハウジング内に複数の磁石を有しかつ外周部に螺旋線材を有する磁気処理装置を設け、上記螺旋線材の外側にコイル支持板を設け、上記コイル支持板にコイルを巻き付け、上記コイル支持板を回転可能に支持し、上記液体の流れによってコイル支持板を回転する回転手段を設ける。
【発明を実施するための最良の形態】
【００１７】
図１は本発明に係る液体処理装置を示す概略断面図、図２は図１の拡大Ａ−Ａ断面図、図３は図１に示した液体処理装置の磁気処理装置の一部を示す拡大図である。図に示すように、筒状のハウジング２１に支持板２８が固定され、支持板２８に孔３３が設けられ、支持板２８にベアリング２９を介してハウジング２１の中心線を中心に回転可能に軸２３が支持されている。また、軸２３が磁性体からなる複数の円板状の磁極板２４、複数の円柱状の磁石２５、非磁性体からなる複数のカバー２６、非磁性体からなる複数の円板状のスペーサ２７を貫通している。すなわち、磁極板２４、磁石２５、カバー２６およびスペーサ２７に設けられた孔内を軸２３が貫通している。また、磁極板２４の両側にそれぞれ２個の磁石２５が設けられ、上記２個の磁石２５のうちの磁極板２４側とは反対側の磁石２５間にスペーサ２７が設けられ、磁極板２４の両側の磁石２５の磁極板２４側の磁極が同一であり、スペーサ２７の両側の磁石２５のスペーサ２７側の磁極が同一である。また、有底円筒状のカバー２６は２個の磁石２５を覆っており、カバー２６の開口部は磁極板２４側に位置しており、カバー２６の底部はスペーサ２７と接している。また、磁極板２４、磁石２５、カバー２６、スペーサ２７の外側に磁性体からなる螺旋線材３０が設けられている。そして、軸２３、磁極板２４、磁石２５、カバー２６、スペーサ２７、螺旋線材３０等により複数の磁石２５を有しかつ外周部に螺旋線材３０を有する磁気処理装置２２が構成され、磁気処理装置２２は支持板２８（ハウジング２１）に回転可能に支持されている。また、支持板２８に円筒状のコイル支持板３１が固定され、コイル支持板３１は螺旋線材３０の外側に位置している。すなわち、螺旋線材３０の外側にコイル支持板３１が設けられている。また、コイル支持板３１に銅線からなるコイル３２が巻き付けられている。
【００１８】
この液体処理装置においては、ハウジング２１の一方端から他方端にたとえば水を流すと、水は磁気処理装置２２によって磁化される。この場合、一方の支持板２８に設けられた孔３３からコイル支持板３１の内部に入った水は反対側の支持板２８に設けられた孔３３を通過して外に出る。このとき、水が螺旋線材３０に当たるから、螺旋線材３０に回転方向の力が作用し、しかも螺旋線材３０は磁石２５の磁力により磁極板２４に吸着されているので、磁気処理装置２２は図１紙面の左方から見たときの時計回り方向に回転する。このため、水は回転する螺旋線材３０の間を螺旋状に流れるから、水が磁気処理装置部を移動する距離が非常に長くなるので、磁気処理装置２２は有効に水を磁化することができる。また、コイル３２に対して螺旋線材３０が回転するから、コイル３２に対して螺旋線材３０の各部分が相対的に移動することになるので、コイル３２に電流が流れる。このため、コイル３２に電流が流れないときのゼータ電位は−１７．３ｍＶであったが、コイル３２に電流が流れたときのゼータ電位は−４０〜５０ｍＶであり、ゼータ電位の絶対値が大きくなるから、磁気処理装置２２は有効に水を磁化することができる。また、磁石２５の外側に螺旋線材３０を設けているから、有効に水を磁化することができる。また、磁石２５を覆うカバー２６を設けているから、さらに有効に水を磁化することができる。また、スペーサ２７の両側の磁石２５のスペーサ２７側の磁極を同一としているから、さらに有効に水を磁化することができる。
【００１９】
図４は本発明に係る他の液体処理装置を示す概略断面図である。図に示すように、ハウジング２１に支持板４１が固定され、支持板４１に孔４２が設けられ、支持板４１に複数の磁石２５を有しかつ外周部に螺旋線材３０を有する磁気処理装置２２の軸２３が固定されている。また、コイル支持板３１に羽根支持板４３が固定され、軸２３にベアリング４４を介してハウジング２１の中心線を中心に回転可能に羽根支持板４３、コイル支持板３１が支持されている。また、羽根支持板４３の開口部に羽根４５が取り付けられ、羽根４５は図４紙面左右方向に対して傾斜しており、羽根４５の面は軸２３の中心から出る放射状線と平行であり、羽根４５は液体の流れによってコイル支持板３１を回転する回転手段を構成している。
【００２０】
この液体処理装置においては、ハウジング２１の一方端から他方端にたとえば水を流すと、水は磁気処理装置２２によって磁化される。この場合、一方の支持板４１に設けられた孔４２を通過した水は反対側の支持板４１に設けられた孔４２を通過して外に出る。このとき、水が羽根４５に当たるから、羽根４５に回転方向の力が作用するので、コイル支持板３１が回転する。このため、螺旋線材３０に対してコイル３２が回転するから、コイル３２に対して螺旋線材３０の各部分が相対的に移動することになるので、コイル３２に電流が流れる。このため、ゼータ電位の絶対値が大きくなるから、磁気処理装置２２は有効に水を磁化することができる。
【００２１】
なお、上述実施の形態においては、水を磁化する場合について説明したが、他の液体を磁化するときにも本発明を適用することができる。また、上述実施の形態においては、ハウジング２１内に１個の磁気処理装置２２を設けたが、ハウジング内に複数個の磁気処理装置を設けてもよい。また、上述実施の形態においては、カバー２６内に２個の磁石２５を設けたが、カバー内に３個以上（複数）の磁石を設けてもよい。また、上述実施の形態においては、螺旋線材３０の断面形状を円形にしたが、螺旋線材の断面形状を他の形状たとえば長方形にしてもよい。また、上述実施の形態においては、液体の流れによってコイル支持板３１を回転する回転手段として羽根４５を用いたが、液体の流れによってコイル支持板３１を回転する回転手段として他のものを用いてもよい。また、図４に示した実施の形態において、コイル支持板３１の内面に撹拌用突起を設けたときには、コイル支持板３１の回転によって撹拌用突起が回転するから、撹拌用突起により水を撹拌することができるので、磁気処理装置２２は有効に水を磁化することができる。
【図面の簡単な説明】
【００２２】
【図１】本発明に係る液体処理装置を示す概略断面図である。
【図２】図１の拡大Ａ−Ａ断面図である。
【図３】図１に示した液体処理装置の磁気処理装置の一部を示す拡大図である。
【図４】本発明に係る他の液体処理装置を示す概略断面図である。
【図５】従来の液体処理装置の一部を示す概略図である。
【図６】図５に示した液体処理装置の磁化処理装置の一部を示す断面図である。
【図７】図５に示した磁化処理装置の蓋を示す図である。
【符号の説明】
【００２３】
２１…ハウジング
２２…磁気処理装置
２３…軸
２５…磁石
２８…支持板
２９…ベアリング
３０…螺旋線材
３１…コイル支持板
３２…コイル
４３…羽根支持板
４４…ベアリング
４５…羽根
【図１】
2007021424.tif 000003
【図２】
2007021424.tif 000004
【図３】
2007021424.tif 000005
【図４】
2007021424.tif 000006
【図５】
2007021424.tif 000007
【図６】
2007021424.tif 000008
【図７】
2007021424.tif 000009